(57)【要約】【課題】献花量を容易に調整できる花立て容器の献花保持スタンドを提供する。また、少量の献花量であっても、切花全体の形・バランスを保持し、美観を保てる花立て容器を提供する。【解決手段】有底筒状の容器本体110と、容器本体110に装着固定される献花保持スタンド120を備える。献花保持スタンド120は、容器本体110の口部111に装着される蓋プレート121と、蓋プレートの中央挿入穴121Aから挿入される挿し花１を垂直にガイドし茎部1Aを垂直に保持する保持筒部122と、蓋プレート121の装着姿勢で花立て容器１の内周面に付勢状態で密着する複数の固定金具123を具備する構成とする。蓋プレート121の中央挿入穴121Aは複数の内角部をもつ非円形の形状とされ、かつその周囲に周辺挿入穴121B、121Cを設ける。【選択図】図１
2013079540.tif 000002
【特許請求の範囲】
【請求項１】
花立て容器内に挿入される複数本の挿し花の姿勢を保持する献花保持スタンドであって、
有底筒状の花立て容器の口部に装着される蓋プレートと、
蓋プレートの下面に垂設され蓋プレートの中央挿入穴から挿入される挿し花を垂直にガイドし挿し花の茎部を垂直に保持する保持筒部と、
蓋プレートの下面から保持筒部の外周面下部にかけて取り付けられ、蓋プレートの、花立て容器の口部への装着姿勢で花立て容器の内周面に半径方向に付勢状態で密着する複数の固定金具を具備し、
蓋プレートの前記中央挿入穴は複数の内角部をもつ非円形の形状とされ、かつその周囲に保持筒部の外側に位置する周辺挿入穴が設けられていることを特徴とする花立て容器の献花保持スタンド。
【請求項２】
中央挿入穴の縁部に内側に突出する突起部が設けられ、複数の内角部との間に挿し花の茎部を複数束ねて保持する茎保持部が設けられていることを特徴とする請求項１記載の花立て容器の献花保持スタンド。  
【請求項３】
各固定金具が蓋プレートの遠心方向へ向けて連続して屈曲するくの字に曲成され、各固定金具が内方へ向けてくの字を開くように弾性変形可能とされ、蓋プレートの、花立て容器の口部への装着姿勢で花立て容器の内周面に半径方向に付勢状態で２箇所以上密着されることを特徴とする請求項１または請求項２記載の花立て容器の献花保持スタンド。
【請求項４】
保持筒部の側周面に複数のスリットが設けられていることを特徴とする請求項１ないし請求項３のいずれか一項に記載の花立て容器の献花保持スタンド。
【請求項５】
花立て容器本体と、同花立て容器本体の口部に装着された請求項１記載の献花保持スタンドを備えることを特徴とする花立て容器。
【発明の詳細な説明】
【技術分野】
【０００１】
本発明は、墓石前方に設置される花立て容器に装着される献花保持スタンドと、同献花保持スタンドを用いた花立て容器に関するものである。
【背景技術】
【０００２】
多くの墓地は、高台で見晴らしがよく、また、風通しのよい場所に造られている。かかる墓地に設置される墓石は前方に花立てを備え、花立てには左右２本セットで献花用の円筒形（陶器製やステンレス製）の花立て容器が設置されている。花立て容器は口径が比較的大きい（直径約７５ｍｍから９０ｍｍある）ことから、容器一杯に献花することが通例となっている。特に南九州ではお墓に献花を欠かさないところが多い。容器一杯に献花すると、挿した切花の全体の形やバランスを保持し、美観を保てるが、献花代が高く無駄が多い。一方、少量の献花では容器内の密度が不足し、全体の形やバランスを保持しにくい。特に、風の強い高台の墓地にあっては、花が強風で向きを変えたり容器内で回転して、全体の形やバランスが崩れ、美観を損ねる問題があった。
【０００３】
また、夏場は容器内の水の吸収・蒸発により水の消耗が激しく水枯れを生じ、あるいは水温が上昇して中の水が腐敗し、早期に花を傷める問題がある。かかる水管理の問題に対しては、従来より、早期の水切れを防ぐ給水装置を設置するもの（特許文献１）や、水温の上昇を防ぐため容器を断熱構造とするもの（特許文献２）等が提案されている。
【先行技術文献】
【特許文献】
【０００４】
【特許文献１】特開２００４−０６０３１５号公報
【特許文献２】特開２００４−１２９９７４号公報
【発明の概要】
【発明が解決しようとする課題】
【０００５】
しかしながら、前者の問題、すなわち、強風により挿し花全体の形やバランスが崩れ美観を損ねる問題に対しては、上記提案は何ら解決策を示しておらず、かかる解決策の提案が長年要望されていた。
【０００６】
本発明は上記問題点に鑑みてなされたもので、献花量が少量であっても、挿し花全体の形・バランスを保持し得て、全体の美観を保てる花立て容器の献花保持スタンド、すなわち献花量を自由に調整できる花立て容器の献花保持スタンドを提供すること、また、強風下でも挿し花が簡単に向きを変えたり容器内で回転しない献花保持スタンドを提供することを目的とする。
【０００７】
さらには挿し花の茎部が斜めにならず、垂直に挿入しやすい献花保持スタンドを提供すること、水管理労力の軽減と献花費用の節減を図れる花立て容器を提供することを目的とする。
【課題を解決するための手段】
【０００８】
上記課題を解決するために、本発明に係る花立て容器の献花保持スタンドは、花立て容器内に挿入される複数本の挿し花の姿勢を保持する献花保持スタンドであって、
有底筒状の花立て容器の口部に装着される蓋プレートと、
蓋プレートの下面に垂設され、蓋プレートの中央挿入穴から挿入される挿し花を垂直にガイドし茎部を垂直に保持する保持筒部と、
蓋プレートの下面から保持筒部の外周面下部にかけて取り付けられ、蓋プレートの、花立て容器の口部への装着姿勢で花立て容器の内周面に半径方向に付勢状態で密着する複数の固定金具を具備し、
蓋プレートの前記中央挿入穴は複数の内角部をもつ非円形の形状とされ、かつその周囲に保持筒部の外側に位置する周辺挿入穴が設けられていることを主要な特徴とする。
【０００９】
献花量が少ない時は中央挿入穴に挿し花を挿入し中央挿入穴単独で用いることができる。献花量が多い時は中央挿入穴と周辺挿入穴を組み合わせて用いることができる。従来の花立て容器に比べ、献花量が少ない時も挿し花全体の形・バランスを保持できる。すなわち献花量を自由に調整できる。
【００１０】
中央挿入穴は複数の内角部をもつ非円形形状であり、中央挿入穴に挿入した挿し花が内角部の存在で強風によって向きを変えたり容器内で回転することが阻止される。これにより、強風下でも、挿し花全体の形・バランスを保持し、美観を保てる。
【００１１】
保持筒部の存在により蓋プレートの中央挿入穴から挿し花が斜めにならず、垂直に挿すことができる。保持筒部により挿し花の茎部を垂直姿勢に束ねて安定して保持できる。挿し花全体の形・バランスをしっかりと安定保持し、美観を保つことができる。
【００１２】
本発明に係る花立て容器の献花保持スタンドは、中央挿入穴の縁部に内側に突出する突起部が設けられ、複数の内角部との間に挿し花の茎部を複数束ねて保持する茎保持部が設けられていることを第２の特徴とする。
【００１３】
中央挿入穴に複数挿入された挿し花の茎部は、茎保持部により複数束ねられて保持される結果、それらの回転や移動が阻止され、これにより束ねられた挿し花が強風により向きを変えたり容器内で回転することが二重に阻止される。
【００１４】
本発明に係る花立て容器の献花保持スタンドは、各固定金具が蓋プレートの遠心方向へ向けて連続して屈曲するくの字に曲成され、各固定金具が内方へ向けてくの字を開くように弾性変形可能であり、蓋プレートの、花立て容器の口部への装着姿勢で花立て容器の内周面に半径方向に付勢状態で２箇所以上密着されることを第３の特徴とする。くの字の角部は緩やかなＲを付けることが望ましい。
【００１５】
各固定金具を内方へ向けてくの字が開くように弾性変形させながら花立て容器の口部から内部に挿入し、しかる後、各固定金具を元の状態に復帰させると容器の内周面に固定金具が密着固定する。これにより、蓋プレートを花立て容器の口部に容易に装着できる。一方、花立て容器の清掃時など、蓋プレートを容器本体の口部から容易に取り外しできる。固定金具が花立て容器の内周面に付勢状態で２箇所以上密着するから、強風下でも献花保持スタンドが、挿し花と一緒に容易に回転しない。
【００１６】
本発明に係る花立て容器の献花保持スタンドは、保持筒部の側周面に複数のスリットが設けられていることを第４の特徴とする。
【００１７】
保持筒部の側周面に設けたスリットにより、特に夏季において、花立て容器内の水の対流効果が生じ、水温の上昇抑制や水の腐敗抑制、花の持ち時間の延長といった作用を発揮する。
【００１８】
本発明に係る花立て容器は、花立て容器本体と、同花立て容器本体の口部に装着された前記献花保持スタンドを備えることを主要な特徴とする。
【００１９】
本発明に係る花立て容器によると、花立て容器本体の口部に前記献花保持スタンドを装着することにより、少量の献花で花立て容器一杯に献花した場合と同様の形・バランスを保持でき、容器一杯に献花する場合と比較し、水の減少が少なく切花の花持ちがよく、したがって水管理が容易であり、献花費用を節減できる。
【発明の効果】
【００２０】
以上説明したように、本発明に係る花立て容器の献花保持スタンドによると、花立て容器への献花量を自由に調整できると共に、少量であっても、挿し花全体の形・バランスを保持できるという優れた効果を奏する。また、強風下でも中央挿入穴に挿した挿し花が簡単に向きを変えたり容器本体内で回転することがなく、挿し花全体の形・バランスを常に保持し、美観を保てるという優れた効果を奏する。
【００２１】
さらに、本発明に係る花立て容器によると、献花保持スタンドを用いることにより、少量の献花で花立て容器一杯に献花した場合と同様の形・バランスを保持できるから、水の減少を少なくして切花の花持ちをよくし、水管理を容易にして献花費用を節減できるという優れた効果を奏する。
【図面の簡単な説明】
【００２２】
【図１】本発明の一実施形態を示すもので、本発明に係る献花保持スタンドを花立て容器の口部に装着した状態を示す全体斜視図、
【図２】図１に示す献花保持スタンドの斜視図、
【図３】（Ａ）は図２に示す献花保持スタンドの平面図、（Ｂ）はその正面図、
【図４】花立て容器の口部に献花保持スタンドを装着する様子を示す説明図、
【図５】花立て容器の口部に献花保持スタンドが装着された状態を示す断面図、
【図６】花立て容器に挿し花が献花された状態を示す断面図、
【図７】他の実施形態を示す献花保持スタンドの平面図である。
【発明を実施するための最良の形態】
【００２３】
本発明を実施するための最良の形態につき、図１ないし図６を参照して説明する。図中、符号１００は本発明に係る花立て容器を示している。同花立て容器１００は、図１に示すように、容器本体１１０と献花保持スタンド１２０とから基本構成されている。
【００２４】
容器本体１１０は、ステンレス製からなるもので、有底円筒形状をなし、内部に水を貯留する水貯留室１１０Ａが設けられ、上端の口部１１１の周囲に鍔部１１２が設けられている。
【００２５】
献花保持スタンド１２０は、同じくステンレス製からなるもので、容器本体１１０の口部１１１に装着される蓋プレート１２１と、蓋プレート１２１の中央挿入穴１２１Ａの直下に中央挿入穴１２１Ａを囲むように垂設された保持筒部１２２と、保持筒部１２２の周囲で蓋プレート１２１の下面に１２０°間隔で取り付けられる３本の固定金具１２３を備えている。各固定金具１２３は、取付ピン１２４により蓋プレート１２１に一体に取り付けられ、図１に示すように、蓋プレート１２１の装着姿勢で容器本体１１０の内周面に付勢状態で密着するようになっている。
【００２６】
蓋プレート１２１の上面には、図２に示すように、挿し花１の茎部をそれぞれ一定数ずつ挿入可能な非円形の中央挿入穴１２１Ａおよびその周囲の周辺挿入穴１２１Ｂ，１２１Ｃが設けられている。中央挿入穴１２１Ａは複数の角（図示例では６つの内角と１つの外角）を持つ多角形形状（非円形形状）をなし、最も大きい開口面積を有する。左右の周辺挿入穴１２１Ｂ，１２１Ｂは周縁に沿って細長い円弧状の形状を、背後の周辺挿入穴１２１Ｃは同じく周縁に沿って細長い円弧状の形状をなしている。中央挿入穴１２１Ａの背後側の周縁には内側に三角状に突出する突起部１２５が形成され、複数の内角部との間に挿し花の茎部を複数束ねて保持し、強風時の回転や移動を二重に阻止する茎保持部１２６が設けられている。複数の挿入穴１２１Ａ〜１２１Ｃを設けたことで、献花量のボリュームに合わせて挿し量や挿し場所を調整可能である。
【００２７】
保持筒部１２２は、中央挿入穴１２１Ａに挿入された各挿し花１の茎部１Ａを束ねて安定的に保持する役目をする。また、保持筒部１２２を設けたことにより、中央挿入穴１２１Ａから挿し花１が斜めにならず、垂直の正しい姿勢で挿すことができるようになっている。
【００２８】
固定金具１２３は、図３（Ｂ）に示すように、蓋プレート１２１の遠心方向へ向けて連続して突出するくの字に曲成され、図４に示すように、内方へ向けてくの字を開くように弾性変形可能とされている。くの字の角部は緩やかなＲが付けられ、献花保持スタンド１２０の装着と取り外しを繰り返し行う場合でも塑性変形しにくく、繰り返し使用に耐えられる。また、連続するくの字に曲成されているので、弾性変形力が比較的弱く、握力や手の力の弱い女性や子供、お年寄りであっても、献花保持スタンド１２０を容易に容器本体１１０の口部１１１に着脱できる。
【００２９】
３つの固定金具１２３の各曲成部がなす外径Ｄ２は、容器本体１１０の内径Ｄ０よりも若干大きな寸法に設定され、３つの固定金具１２３をそれぞれ内方へ向けてくの字を開くように弾性変形させると、その状態で、図４に示すように、容器本体１１０の口部１１１上端から挿入させることができ、しかる後、各固定金具１２３を元の状態に復帰させると容器本体１１０の内周面に密着固定するようになっている。なお、蓋プレート１２１の外径Ｄ１は容器本体１１０の内径Ｄ０よりも大きい寸法に設定されている。
【００３０】
図５は、容器本体１１０の口部１１１に献花保持スタンド１２０を装着固定した状態を示している。図５に示すように、献花保持スタンド１２０の固定金具１２３が自身の付勢力により、容器本体１１０の内周面に密着固定されている。各固定金具１２３が上下２箇所、合計６箇所で周方向に容器本体１１０の内周面に密着付勢されているので、強風下でも、挿し花１とともに、献花保持スタンド１２０が容器本体１１０内で回転することがない。清掃時など、献花保持スタンド１２０を外したい場合は、蓋プレート１２１の中央挿入穴１２１Ａに指等を入れて容易に引き上げて外すことができる。
【００３１】
図６は、本実施形態の花立て容器１００に対し、少量の挿し花１を蓋プレート１２１の中央挿入穴１２１Ａに垂直に挿入し、挿し花１の各茎部１Ａを直下の保持筒部１２２に保持させ、水Ｗを給水した状態を示している。図６に示すように、少量の献花量であっても、蓋プレート１２１の中央挿入穴１２１Ａを用い、直下の保持筒部１２２で茎１Ａを安定保持させることにより、挿し花全体の形・バランスを保持し、美観を保持できる。左右の挿入穴１２１Ｂには小さな挿し花を挿入し、背後の挿入穴１２１Ｃにはシバ木を挿入する等して、全体をより立体的に装飾することもできる。
【００３２】
そして、蓋プレート１２１の中央挿入穴１２１Ａが多角形の非円形形状をしており、さらに、内側に三角状に突出する突起部１２５により、中央挿入穴１２１Ａに挿入し茎保持部１２６内に保持した挿し花が高台の風（特に強風時）によって向きを変えたり容器本体１１０内での回転が阻止され、少量の献花量であっても、図６に示すように、挿し花全体の形・バランスを保持し、美観を保つことができる。
【００３３】
中央挿入穴１２１Ａに少量の挿し花を挿入した場合でも、全体の形・バランスを保持できるので、花立て容器一杯に献花する場合と比較して、水の減少量が少なく切花の花持ちがよく、したがって水管理が容易であり、献花費用を節減できる。
【００３４】
図７は本発明の他の実施形態を示すもので、同図において、符号１２０’は献花保持スタンドを示している。献花保持スタンド１２０’の蓋プレート１２１の中央挿入穴１２１Aには、図３（Ａ）に示す突起部１２５が省略されている。
【００３５】
本実施形態の献花保持スタンド１２０’においても、中央挿入穴１２１Ａに少量の挿し花を挿入して、全体の形・バランスを保持できる効果がある。
【００３６】
なお、各実施形態では容器本体１１０の材質をステンレス製としたが、これに限らない。陶器製や塩化プラスチック製等でもよい。また、固定金具１２３は蓋プレート１２１の遠心方向へ向けて突出するくの字に曲成したが、湾曲して突出する形状に曲成してもよい。
【産業上の利用可能性】
【００３７】
本発明に係る献花保持スタンドは、献花量が少量であっても、挿し花全体の形・バランスを保持し得て、全体の美観を保てる花立て容器の献花スタンドとして、また、風があっても挿し花が簡単に向きを変えたり回転することのない献花保持スタンドとして広く利用できる。また人の墓石だけではなく、ペットの墓石用にも利用可能である。
【符号の説明】
【００３８】
１  挿し花
１Ａ  茎部
１００  花立て容器
１１０  容器本体
１１０Ａ  水貯留室
１１１  口部
１１２  鍔部
１２０，１２０’  献花保持スタンド
１２１  蓋プレート
１２１Ａ  中央挿入穴
１２１Ｂ，１２１Ｃ  周辺挿入穴
１２２  保持筒部
１２３  固定金具
１２４  取付ピン
１２４Ａ  内周面
１２５  突起部
１２６  茎保持部
Ｄ０  容器本体の内径  
Ｄ１  蓋プレートの外径
Ｄ２  固定金具の外径
【図１】
2013079540.tif 000003
【図２】
2013079540.tif 000004
【図３】
2013079540.tif 000005
【図４】
2013079540.tif 000006
【図５】
2013079540.tif 000007
【図６】
2013079540.tif 000008
【図７】
2013079540.tif 000009